【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
磁気共鳴イメージング・システム向けの磁場発生装置（１０）を組み立てる方法であって、
強磁性継鉄プレート（１４）と永久磁石（１６）を備える磁石アセンブリの永久磁石（１６）の配列を確定させるステップであって、該配列は前記継鉄プレート（１４）の実質的な外周位置に取り付けた複数のリテーナ（２８）の一部分の配置によって形成されるキャビティ（２４）の一部分を含むような配列確定のステップと、
前記キャビティ（２４）の前記第１の部分に、前記継鉄プレート（１４）に取り付けた１組のレール（４０）を実装させるステップと、
複数の磁石ブロック（２０）に複数のグライダー（３４）を添着させ、該グライダー（３４）及び磁石ブロック（２０）を磁化させて複数のブロック・アセンブリ（６０）を形成させるステップと、
前記複数のブロック・アセンブリ（６０）の各ブロック・アセンブリ（６０）を、最外側レール（４０）で開始し最内側で終了するようにして前記レール組（４０）の１つのレール（４０）に沿ってスライドさせ、連続して充填させる各レール（４０）をリテーナ（２８）で固定して行くステップと、
を含む方法。
【請求項２】
前記永久磁石（１６）に磁極片（１８）を取り付けるステップをさらに含む請求項１に記載の方法。
【請求項３】
磁気共鳴イメージング・システム向けの磁場発生装置（１０）であって、
強磁性継鉄プレート（１４）と永久磁石（１６）を備える磁石アセンブリの永久磁石（１６）の配列であって、前記継鉄プレート（１４）の実質的な外周位置に取り付けた複数のリテーナ（２８）の一部分の配置によって形成されるキャビティ（２４）の一部分を含むような永久磁石配列と、
前記継鉄プレート（１４）に取り付けた１組のレール（４０）を実装した前記キャビティ（２４）の前記第１の部分と、
複数の磁石ブロック（２０）に添着させると共に、複数のブロック・アセンブリ（６０）を形成させるように磁化させた複数のグライダー（３４）と、を備えると共に、
前記複数のブロック・アセンブリ（６０）の各ブロック・アセンブリ（６０）は、最外側レール（４０）で開始し最内側で終了するようにして前記レール組（４０）の１つのレール（４０）に沿ってスライドさせ、連続して充填させる各レール（４０）をリテーナ（２８）で固定していること、
を特徴とする磁場発生装置（１０）。
【請求項４】
前記永久磁石（１６）に取り付けた磁極片（１８）をさらに含む請求項３に記載の磁場発生装置（１０）。
【請求項５】
前記レール組（４０）はそれぞれ、前記ブロック・アセンブリ（６０）のその長さ方向に沿ったスライドは容易となるが該レール（４０）に対する横断方向では動きが妨害されるように構成した断面を呈している、請求項３に記載の磁場発生装置（１０）。
【請求項６】
前記複数のグライダー（３４）の各グライダー（３４）は、前記レール組（４０）のうちの１つのレール（４０）と係合するように幾何学的に一致させかつ構成させた１つのスロット（３６）を含んでいる、請求項３に記載の磁場発生装置（１０）。
【請求項７】
磁気共鳴イメージング・システム向けの磁場発生装置（１０）を組み立てる方法であって、
強磁性継鉄プレート（１４）と永久磁石（１６）を備える磁石アセンブリの永久磁石（１６）の配列を確定させるステップであって、該配列は前記継鉄プレート（１４）の実質的な外周位置に取り付けた複数のリテーナ（２８）の一部分の配置によって形成されるキャビティ（２４）の一部分を含むような配列確定のステップと、
前記キャビティ（２４）の前記第１の部分に、前記継鉄プレート（１４）に取り付けた１組のレール（４０）を実装させるステップと、
複数の磁石ブロック（２０）に複数のグライダー（３４）を添着させ、該グライダー（３４）及び磁石ブロック（２０）を磁化させて複数のブロック・アセンブリ（６０）を形成させるステップと、
前記複数のブロック・アセンブリ（６０）の各ブロック・アセンブリ（６０）を、最外側レール（４０）で開始し最内側で終了するようにして前記レール組（４０）の１つのレール（４０）に沿ってスライドさせ、連続して充填させる各レール（４０）をリテーナ（２８）で固定して行くステップと、
前記ブロック・アセンブリ（６０）と別のブロック・アセンブリ（６０）及び前記ブロック・リテーナ（２８）の少なくとも一方との間の摩擦係合、並びに接着剤のうちの少なくとも一方を利用して前記各ブロック・アセンブリ（６０）を固定するステップと、
を含む方法。
【請求項８】
磁気共鳴イメージング・システム向けの磁場発生装置（１０）であって、
強磁性継鉄プレート（１４）と永久磁石（１６）を備える磁石アセンブリの永久磁石（１６）の配列であって、前記継鉄プレート（１４）の実質的な外周位置に取り付けた複数のリテーナ（２８）の一部分の配置によって形成されるキャビティ（２４）の一部分を含むような永久磁石配列と、
前記継鉄プレート（１４）に取り付けた１組のレール（４０）を実装した前記キャビティ（２４）の前記第１の部分と、
複数の磁石ブロック（２０）に添着させると共に、複数のブロック・アセンブリ（６０）を形成させるように磁化させた複数のグライダー（３４）と、を備えると共に、
前記複数のブロック・アセンブリ（６０）の各ブロック・アセンブリ（６０）は、最外側レール（４０）で開始し最内側で終了するようにして前記レール組（４０）の１つのレール（４０）に沿ってスライドさせ、連続して充填させる各レール（４０）をリテーナ（２８）で固定していること、
前記ブロック・アセンブリ（６０）と別のブロック・アセンブリ（６０）及び前記ブロック・リテーナ（２８）の少なくとも一方との間の摩擦係合、並びに接着剤のうちの少なくとも一方を利用して各ブロック・アセンブリ（６０）が固定されていること、
を特徴とする磁場発生装置（１０）。
【請求項９】
磁気共鳴イメージング・システム向けの磁場発生装置（１０）であって、
強磁性継鉄プレート（１４）と永久磁石（１６）を備える磁石アセンブリの永久磁石（１６）の配列であって、前記継鉄プレート（１４）の実質的な外周位置に取り付けた複数のリテーナ（２８）の一部分の配置によって形成されるキャビティ（２４）の一部分を含むような永久磁石配列を確定させる手段と、
前記キャビティ（２４）の前記第１の部分に、前記継鉄プレート（１４）に取り付けた１組のレール（４０）を実装させる手段と、
複数の磁石ブロック（２０）に複数のグライダー（３４）を添着させ、該グライダー（３４）及び磁石ブロック（２０）を磁化させて複数のブロック・アセンブリ（６０）を形成させる手段と、
前記複数のブロック・アセンブリ（６０）の各ブロック・アセンブリ（６０）を、最外側レール（４０）で開始し最内側で終了するようにして前記レール組（４０）の１つのレール（４０）に沿ってスライドさせ、連続して充填させる各レール（４０）をリテーナ（２８）で固定して行く手段と、
を備える磁場発生装置（１０）。
【請求項１０】
磁気共鳴イメージング・システム向けの再加工可能な磁場発生装置（１０）であって、
強磁性継鉄プレート（１４）と永久磁石（１６）を備える磁石アセンブリの永久磁石（１６）の配列であって、前記継鉄プレート（１４）の実質的な外周位置に取り付けた複数のリテーナ（２８）の一部分の配置によって形成されるキャビティ（２４）の一部分を含むような永久磁石配列を確定させる手段と、
前記キャビティ（２４）の前記第１の部分に、前記継鉄プレート（１４）に取り付けた１組のレール（４０）を実装させる手段と、
複数の磁石ブロック（２０）に複数のグライダー（３４）を添着させ、該グライダー（３４）及び磁石ブロック（２０）を磁化させて複数のブロック・アセンブリ（６０）を形成させる手段と、
前記複数のブロック・アセンブリ（６０）の各ブロック・アセンブリ（６０）を、最外側レール（４０）で開始し最内側で終了するようにして前記レール組（４０）の１つのレール（４０）に沿ってスライドさせ、連続して充填させる各レール（４０）をリテーナ（２８）で固定して行く手段と、
前記複数のリテーナ（２８）のうちの１つまたは複数のリテーナ（２８）を取り外し、かつ前記複数のブロック・アセンブリ（６０）の各ブロック・アセンブリ（６０）を前記レール組（４０）の１つのレール（４０）に沿ってスライドさせ該レール（４０）及び前記継鉄プレート（１４）から分離させる手段と、
を備える再加工可能な磁場発生装置（１０）。